(57)【要約】【課題】  吐水具から吐水される湯水の吐水，止水の切替操作と、湯水の供給量の調節との操作性を向上させ、しかも止水時に発生するウォーターハンマーを低減させることのできるプッシュ式水栓を提供する。【解決手段】  操作具Ｈを押し込み操作する毎に湯水の吐水，止水の切り替えを行なうプッシュ式水栓Ａにおいて、本体１の流入部４と流出部５との間には湯水の供給量を調節する流量調節機構Ｃが収容され、流量調節機構Ｃは流入部４に連通する流入孔１３と流出部５に連通する流出孔１４とが形成された外ケース体１１と、その外ケース体１１の内部に回転自在に収容され流入孔１３に連通する連通孔２３が形成された内ケース体２１とからなり、内ケース体２１は操作具Ｈと連繋し、操作具Ｈの回転操作で内ケース体２１が回転し、外ケース体１１の流入孔１３と内ケース体２１の連通孔２３とが連通することで、吐水具への湯水の供給量が調節される。【選択図】  図１
2007032798.tif 000002
【特許請求の範囲】
【請求項１】
湯水の混合機器へ連通する流入部と吐水具へ連通する流出部とが形成された本体と、本体の流入部と流出部との間に形成された開口孔に収容され湯水の吐水，止水の切り替えを行なう吐止水機構と、吐止水機構と連繋し押し込み操作する毎に湯水の吐水，止水の切り替えを行なう単一の操作具とを備えたプッシュ式水栓において、前記本体の流入部と流出部との間には湯水の供給量を調節する流量調節機構が収容され、流量調節機構は流入部に連通する流入孔と流出部に連通する流出孔とが形成された外ケース体と、その外ケース体の内部に回転自在に収容され流入孔に連通する連通孔が形成された内ケース体とからなり、内ケース体は操作具と連繋し、操作具の回転操作で内ケース体が回転し、外ケース体の流入孔と内ケース体の連通孔とが連通することで、吐水具への湯水の供給量が調節されることを特徴とするプッシュ式水栓。
【請求項２】
前記吐止水機構はフラッシュ式の開閉弁としたことを特徴とする請求項１記載のプッシュ式水栓。
【請求項３】
前記流量調節機構は吐止水機構の上流側に設けられたことを特徴とする請求項１又は２記載のプッシュ式水栓。
【発明の詳細な説明】
【技術分野】
【０００１】
本発明は、ハンドル等の操作具を押圧操作する毎に、湯水を吐水状態と止水状態との何れかに切り替えるプッシュ式水栓に関するものである。
【背景技術】
【０００２】
従来、ハンドル等の操作具を押圧操作する毎に、吐水される湯水を吐水状態，又は止水状態の何れかに切り替えるプッシュ式水栓が公知である。この種のプッシュ式水栓は、操作具の押圧操作のみにより湯水の吐水，止水の切り替えを行うことができるが、流量の調節を行うには、プッシュ式水栓と離れた位置に配置されている元栓を操作しなければならず、操作が面倒であり、その改善が望まれていた。そこで、操作具を押圧操作する毎に吐水される湯水を吐止状態，又は止水状態の何れかに切り替えるとともに、吐水される湯水の流量調節を可能としたプッシュ式水栓として公知のものに、特許文献１のものがある。
【０００３】
この特許文献１について説明すると、プッシュ式水栓は、水栓本体の弁室中に、端緑に弁座を具えた外筒を挿入して、弁座は弁室の流入路側に向け、外筒の側面に開設した流出孔は流出路に連通させ、弁座の対向位遣にはバネにて弁座の閉成方向に付勢された弁体を配備しており、弁体の弁軸を外筒中に延長し、外筒中には内筒を回動可能に挿入し、該内筒には外筒の流出孔に対応して塞ぎ面を形成し、内筒の回動により塞ぎ面と流出孔との一部分を重ね合わせることにより流出孔の開ロ面積を変えて流量調節可能となし、弁体は弁軸の上端に対応して弁体の上、下移行位置を切替保持する切替機構を配備し、切替機構は、内筒に固定したガィド環と、ガィド環中にて上下摺動可能に設けられ弁軸の先端と対接した回転体と、ガイド環中の回転体上へ摺動可能に配設され下端に前記回転体を押し上げる送り斜面を備えた押込棒とから構成され、押込棒上端の押釦の下圧操作毎に、弁軸に取り付けられた弁板を、弁座が開放する開位置及び弁座が閉成する閉位置に交互に切り替えるものである。この構成により、ガイド環と押込棒の押釦を押圧する操作だけで栓の切り替えができ、また、弁座の開放域は閉成状態をそのまま持続でき、かつ内筒を外筒内で回動させることにより、内筒の塞ぎ面と外筒の流出孔との一部分を重ね合わせ、流出孔の開口面積を変えて流量調節ができるものである。
【特許文献１】特開昭５３−５６７２１号
【発明の開示】
【発明が解決しようとする課題】
【０００４】
しかしながら、特許文献１のプッシュ式水栓では、栓の開閉を行う押釦と、流量の調節を行う調節レバーとが別々に設けられているため操作性が悪く、しかも見栄えの悪いものであった。また、プッシュ式水栓の弁体では、吐水状態から止水状態へと切り替える際に、通水口が急激に閉塞されることによりウォーターハンマーが発生してしまい、この音は使用者にとって耳障りであった。さらに、吐水される湯水の流量を調節するための流出孔は、通水口より下流側に設けられているため、通水口への湯水の流入量を調節することができない。すなわち、通水口への湯水の流入量は、プッシュ式水栓の上流側に配置されている元栓で予め設定された流量がそのまま流入することになるため、押釦を操作して吐水状態から止水状態に切り替える際に発生するウォーターハンマーを減少させることができなかった。
【０００５】
本発明は、このような従来の技術に存在する問題点に着目してなされたものであり、その目的は、吐水具から吐水される湯水の吐水，止水の切替操作と、湯水の供給量の調節との操作性を向上させ、しかも止水時に発生するウォーターハンマーを低減させることのできるプッシュ式水栓を提供することにある。
【課題を解決するための手段】
【０００６】
上記目的を達成するために、請求項１に記載の発明は、湯水の混合機器へ連通する流入部と吐水具へ連通する流出部とが形成された本体と、本体の流入部と流出部との間に形成された開口孔に収容され湯水の吐水，止水の切り替えを行う吐止水機構と、吐止水機構と連繋し押し込み操作する毎に湯水の吐水，止水の切り替えを行う単一の操作具とを備えたプッシュ式水栓において、前記本体の流入部と流出部との間には湯水の供給量を調節する流量調節機構が収容され、流量調節機構は流入部に連通する流入孔と流出部に連通する流出孔とが形成された外ケース体と、その外ケース体の内部に回転自在に収容され流入孔に連通する連通孔が形成された内ケース体とからなり、内ケース体は操作具と連繋し、操作具の回転操作で内ケース体が回転し、外ケース体の流入孔と内ケース体の連通孔とが連通することで、吐水具への湯水の供給量が調節されるものである。
【０００７】
請求項２では、請求項１に記載のプッシュ式水栓において、前記吐止水機構はフラッシュ式の開閉弁としたものである。
【０００８】
請求項３では、請求項１又は請求項２に記載のプッシュ式水栓おいて、前記流量調節機構は吐止水機構の上流側に設けられたものである。
【発明の効果】
【０００９】
本発明の請求項１では、吐水具から吐水される湯水の吐水，止水の切替操作と、吐水具への湯水の供給量の調節とを単一の操作具で行うことができ、操作性が向上する。また、操作具は単一であることから、従来のように操作具を複数備える場合と比較して、見栄えが向上する。
【００１０】
請求項２では、吐止水機構はフラッシュ式の開閉弁としたので、吐水状態から止水状態への切替動作はゆっくり行われ、ウォーターハンマーを低減させることができ、使用者は快適に使用することができる。
【００１１】
請求項３では、流量調節機構は吐止水機構の上流側に設けられているので、１次側配管から吐止水機構への湯水の供給量を制限することができ、湯水の供給量を制限した状態で吐水状態から止水状態へ切り替えると、吐止水機構へ流れる湯水は少量であることから、ウォーターハンマーを低減させることができる。
【発明を実施するための最良の形態】
【００１２】
以下、本発明の実施例を図に基づいて詳細に説明する。
【実施例１】
【００１３】
図１は、本発明のプッシュ式水栓Ａの内部構造を示す断面図である。
このプッシュ式水栓Ａは、１次側配管６及び２次側配管６ａを介して浴室のカウンター等に収容され、本体１の内部に吐止水機構Ｂと流量調節機構Ｃとが収容されており、両機構Ｂ，Ｃは本体１から外部に露出したハンドル等の操作具Ｈと連繋している。そして操作具Ｈを押圧操作することで、１次側配管６から本体１へ供給される湯水の吐水，止水の切り替えを行うとともに、回転操作することで、１次側配管６から２次側配管６ａへ供給される湯水の流量の調節を行うものである。
【００１４】
前記本体１は、一端に開口孔３が上部に向けて開口した中空状の円柱形状で、内部には収容室２が形成されている。また、本体１の外周面には、流入部４及び流出部５が外方へ突出して形成され、流入部４には混合機器に連通する１次側配管６が接続され、流出部５には吐水管やシャワーヘッド等の吐水具（図示省略）へ連通する２次側配管６ａが接続されている。
【００１５】
前記本体１の収容室２には流量調節機構Ｃが収容されており、この流量調節機構Ｃは固定具７により本体１から外部へ抜け出ないように固定されている。
この流量調節機構Ｃは吐水具へ供給される湯水の流量を調節するものであり、中空円筒状に形成された外ケース体１１と、この外ケース体１１の内部に回転自在に収容された内ケース体２１とから構成されている。外ケース体１１は合成樹脂からなる略円筒形状で、その一端には内ケース体２１を軸方向に収容するための開口孔１２が形成され、その周壁には１次側配管６と連通する流入孔１３と、２次側配管６ａと連通する流出孔１４とが軸方向の同一直線上に形成されている。また、外ケース体１１の外周面には流入孔１３と流出孔１４の間、及び流入孔１３，流出孔１４の外側両端の計３箇所に環状溝１５が形成され、各環状溝１５にはゴム等の弾性材からなるシール材１６がそれぞれ装着され、このシール材１６により本体１と切替部材１０との水密状態が維持される。さらに外ケース体１１の他端中央には、前記開口孔１２より小径の挿通孔１７が形成されている。
【００１６】
前記内ケース体２１は外ケース体１１の内部に回転自在に収容されるものであり、一端には外ケース体１１の挿通孔１７を挿通する小径筒部２２が形成され、外ケース体１１の開口孔１２から挿通孔１７に向けて外ケース体１１と同軸となるように収容される。内ケース体２１の外周面には、外ケース体１１の流入孔１３と連通する第１連通孔２３と、外ケース体１１の流出孔１４に連通する第２連通孔２４とが形成されている。第１連通孔２３は内ケース体１１の中心軸線に対して向かい合う方向で、かつ同一水平線上に複数個開口されている。そして第１連通孔２３と外ケース体１１の流入孔１３とは、互いの孔１３，２３の連通面積を調節することにより、内ケース体２１へ流入される湯水の流量が調節される。また、小径筒部２２の他端は、開口孔２５が下部に向けて開口している。
【００１７】
前記内ケース体２１の内部には、１次側配管６から２次側配管６ａへ供給される湯水の吐止，止水を切り替える吐止水機構Ｂが収容されており、この吐止水機構Ｂにより、内ケース体２１の内部は１次側流路Ｌ１と２次側流路Ｌ２とに区画されている。吐止水機構Ｂはフラッシュ式の開閉弁からなり、図１及び図２に示すように、内ケース体２１の内部には第１弁体２８が摺動自在に設けられている。この第１弁体２８は、内ケース体２１に形成された第１シート部２６に対して接離するもので、その軸心には貫通孔２９が形成されている。また、内ケース体２１の開口孔２５には蓋２７が螺着され、この蓋２７と第１弁体２８との間には圧力室３７が形成されおり、この圧力室３７は、第１弁体２８に形成された連通孔３０及び第１連通孔２３を介して１次側流路Ｌ１と連通している。さらに第１弁体２８の貫通孔２９には第２弁体３２が相対摺動可能に設けられており、第１弁体２８の貫通孔２９と第２弁体３２の外周面との間には隙間３４が形成されている。そして、前記圧力室３７は、第２弁体３２の先端に形成された大径部３３と蓋２７との間にスプリング３５が介在され、このスプリング３５は、第２弁体３２の大径部３３を第１弁体２８に装着された第２シート部３１に向けて付勢している。なお、第１弁体２８の連通孔３０にはクリーニングピン３６が挿通されており、このクリーニングピン３６が連通孔３０を上下に移動することで、連通孔３０に異物が付着するのを防止している。
【００１８】
前記内ケース体２１の小径筒部２２の内部には公知のラッチ機構Ｄが収容され、このラッチ機構Ｄは操作具Ｈと連繋している。操作具Ｈは操作軸３８及びラッチ機構Ｄと連繋し、操作軸３８は、第２弁体３２と同一軸線上となるように設置されている。そして、操作具Ｈの押し込み操作を繰り返す毎に、ラッチ機構Ｄの作用により操作具Ｈと連繋した操作軸３８が吐止水機構Ｂの第２弁体３２を押し動かし、第２弁体３２はその大径部３３が、第１弁体２８に装着された第２シート部３１に密着する位置と、蓋２７側に押し込まれた位置とに交互に配置される。この場合、止水状態では、圧力室３７内の圧力水とスプリング３５の弾性力とにより、第１弁体２８は第１シート部２６に、第２弁体３２の大径部３３は第２シート部３１に密着した状態にある。なお吐止水機構Ｂは内ケース体２１の内部に収容され、流量調節機構Ｃに対し下流側に設けられている。
【００１９】
前記操作具Ｈは本体１の上部に露出し、回転方向への操作により内ケース体２１は外ケース体１１の内部を回転し、外ケース体１１の流入孔１３を通過する湯水は内ケース体２１の内部に供給され、吐止水機構Ｂを経て２次側配管６ａへ供給される。この場合、操作具Ｈは中央位置で吐水具への湯水の供給量が全開で、この位置から回転させることで吐水具への湯水の供給量が調節される。
【００２０】
図１の止水状態において操作具Ｈを本体１に向けて押し込み操作すると、図２に示すように、操作具Ｈと連繋した操作軸３８は、外ケース体１１の内部へ押し込まれた状態で保持される。このとき、操作軸３８は吐止水機構Ｂの第２弁体３２を図中の下方へ押し込み、その大径部３３が第１弁体２８の第２シート部３１から離れて、圧力室３７内に押し動かされた状態となる。すると、第１弁体２８の連通孔３０、及び第１弁体２８の貫通孔２９と第２弁体３２の外周面との間に形成された隙間３４によって、１次側流路６から２次側流路６ａへ少量の湯水が流れる。このため、圧力室３７内の水圧が低下して、第１弁体２８は内ケース体２１の第１シート部２６から離れて開放側へ移動され、吐水状態となる。
【００２１】
また、この状態で操作具Ｈを押し込み操作すると、図１に示すように、スプリング３５の弾性力により第２弁体３２の大径部３３が第１弁体２８の第２シート部３１に密着した状態となる。すると、第１弁体２８の連通孔３０を介して圧力室３７へ流入した水圧により、第１弁体２８は内ケース体２１の第１シート部２６に密着し、止水状態となる。このように、プッシュ式水栓はフラッシュ式の開閉弁を用いることにより、吐水状態から止水状態への切替動作はゆっくり行われ、ウォーターハンマーを低減させることができる。
【００２２】
次に、２次側配管６ａへ供給される湯水の流量の調節について説明する。
図３（ａ）の状態では、外ケース体１１の流入孔１３と内ケース体２１の第１連通孔２３とが連通し、１次側配管６から２次側配管６ａへの湯水の供給量は最大となる。この状態から操作具Ｈを回転操作すると、図３（ｂ）に示すように、外ケース体１１の流入孔１３と内ケース体２１の第１連通孔２３とは連通しているが、その大部分が内ケース体２１の隔壁２１ａにより遮蔽されているため、１次側配管６から２次側配管６ａへの湯水の供給量は少量となる。この状態で操作具Ｈを押し込み操作し、吐水状態から止水状態へ切り替えても、吐止水機構Ｂを通過して２次側配管６ａへ流れる湯水も少量であるため、ウォーターハンマーを低減させることができる。
【００２３】
このように本発明では、操作具を押し込み操作する毎に湯水の吐水，止水の切り替えを行う吐止水機構を備えたプッシュ式水栓において、吐水具から吐水される湯水の吐水，止水の切替操作と、吐水具への湯水の供給量の調節とを単一の操作具により行うことができるため、操作性が向上する。また、操作具は単一であることから、従来のように操作具を複数備える場合と比較して、見栄えが良くなる。さらに、湯水の吐水，止水の切り替えを行う吐止水機構はフラッシュ式の開閉弁としたので、吐水状態から止水状態への切替動作はゆっくり行われ、ウォーターハンマーを低減させることができる。そして、流量調節機構は吐止水機構の上流側に設けられているので、１次側配管から吐止水機構への湯水の供給量を制限することができ、湯水の供給量を制限した状態で吐水状態から止水状態へ切り替えると、吐止水機構を通過して２次側配管へ流れる湯水は少量であることから、ウォーターハンマーを低減させることができる。
【図面の簡単な説明】
【００２４】
【図１】本発明のプッシュ式水栓の断面図であり、止水状態である。
【図２】プッシュ式水栓の断面図であり、吐水状態である。
【図３】流量調節機構における湯水の供給状態とハンドルの位置関係を表した説明図であり、（ａ）は湯水の供給量が最大の状態、（ｂ）は湯水の供給量を絞った状態である。
【符号の説明】
【００２５】
１  ：本体
３  ：開口孔
４  ：流入部
５  ：流出部
１１  ：外ケース体
１３  ：流入孔
１４  ：流出孔
２１  ：内ケース体
２２  ：連通孔
２３  ：第１連通孔
２４  ：第２連通孔
Ａ  ：プッシュ式水栓
Ｂ  ：吐止水機構
Ｃ  ：流量調節機構
Ｄ  ：ラッチ機構
Ｈ  ：操作具
【図１】
2007032798.tif 000003
【図２】
2007032798.tif 000004
【図３】
2007032798.tif 000005